(57)【特許請求の範囲】
【請求項１】
インターネット上で商品の売買を仲介するインターネット上の商品売買仲介システムであって、
前記システムには１又は２以上の仮想店舗を含み、
前記仮想店舗の各々は、表示要素として１の店舗画像に係る１又は２以上の構成要素と１又は２以上の商品画像とを含み、
前記仮想店舗の各々に対応して前記システムに登録された店舗運営者によって前記表示要素が選択され、
前記仮想店舗に付与されるポイントを表すポイントデータと、前記店舗運営者によって選択される前記店舗画像構成要素の各々に該店舗画像構成要素を選択する要件となる前記ポイントの要件である店舗画像毎必要ポイントデータとを保持し、
前記店舗運営者が他の前記店舗運営者に係る仮想店舗に表示された商品画像を自己の仮想店舗にコピーする商品コピー機能と、
前記商品コピー機能によってコピーが実行された場合にコピー元の前記仮想店舗と商品とを商品コピーデータとして保存する商品コピー記録機能と、
前記ポイントを計算するポイント計算機能とを備え、
前記ポイント計算機能は、前記商品コピーデータを参照し、前記コピー元の前記仮想店舗にポイントを付与し、
２以上のプロパティ種別を有し、
前記表示要素の各々は２以上のプロパティ種別の１又は２以上に対応するプロパティ値を有し、
前記仮想店舗の表示要素のプロパティ種別毎のプロパティ値の総和の合計を規格化して前記仮想店舗のプロパティ値を計算する仮想店舗のプロパティ値計算機能を備えることを特徴とする、インターネット上の商品売買仲介システム。
【請求項２】
前記表示要素は、更に１又は２以上のアバター画像を含み、前記仮想店舗の各々に対応して前記システムに登録された店舗運営者によって前記アバターが選択されることを特徴とする、請求項１に記載のインターネット上の商品売買仲介システム。
【請求項３】
ユーザによる入力に基づいて前記仮想店舗を検索する検索機能を備え、
前記検索機能は、（１）前記入力に基づいて前記プロパティ種別のウエイトを定める入力分析手段を備え、（２）仮想店舗ｉのプロパティ種別ｊに対応するプロパティ値をｐｉｊとし、仮想店舗ｉに付与されたポイントをｙｉとし、前記ウエイトをｗｊとするとき、ｆ（ｐｉｊ・ｗｊ，ｙｉ）の値の大きな仮想店舗を検索結果とをするものであり、
前記関数ｆは、２つの変数ｐｉｊ・ｗｊ及びｙｉのいずれに対しても単調非減少であることを特長とする、請求項１又は２に記載のインターネット上の商品売買仲介システム。
【請求項４】
前記検索結果を表示する表示機能を備え、
前記表示機能は、検索された前記仮想店舗の前記表示要素の一部を含む画像を仮想店舗
別表示域に表示し、
仮想店舗に係る前記仮想店舗別表示域の面積が前記関数ｆの値に比例することを特徴と
する、請求項３に記載のインターネット上の商品売買仲介システム。
【発明の詳細な説明】
【技術分野】
【０００１】
本発明は、インターネット上で商品の売買を仲介するインターネット上の商品売買仲介システムに関するものである。
【背景技術】
【０００２】
いわゆるＥコマースとして、インターネット上で商品を購入させるサイト（Ｅコマースサイト）が知られている。Ｅコマースサイトは、１つだけの商品を販売するものに限られず、販売対象の商品をリストとして表示する等によって品揃えをしたものもある。かかるＥコマースサイトは、インターネット上における１つの「商店」であると把握することもできる。
【０００３】
実際の商店では、商店街等によって複数の商店の集合体が近傍に出店して相乗効果を得ている。しかし、複数のＥコマースサイトに対する総合的な案内を行う等の機能を持ったインターネット上の「商店街」に相当するサイト（以下「商店街サイト」と言う。）はあまり知られておらず、知られているとしても限定的な機能のみが提供されており、商店を比較する、複数商店の商品の組合せを購入する等、実際の商店街を訪問した者が行う行動を模擬できていなかった。特に、ユーザ（サイトにアクセスして商品を購入するものを言う。本明細書において以下同じ。）が目的に応じて特定の商店や商品（又は商品群）を見ることをサポートする点において、不十分であった。
【０００４】
特許文献１には、複数の商店を自動的に案内するプログラムが開示されている。また、特許文献２には、商店街の商店を一括して１つのポイントをユーザに発行するシステムが開示されている。しかし、いずれも、ユーザが目的に応じて特定の商店や商品（又は商品群）を見ることのできるものではない。
【０００５】
また、特許文献３には、近隣の商店への発注を一括して取扱うシステムが開示されている。ユーザの居住地域の近隣の商店のみを対象とする点で、ユーザが目的に応じて特定の商店（近隣の商店）のみを対象とできる。しかし、商店の比較を行えるものではない。
【０００６】
以上のとおり、商店街サイトの機能は限定的であり、ユーザが目的に応じて特定の商店や商品（又は商品群）を見ることが十分にサポートされていなかった。
【０００７】
インターネット上の商店街サイトにおける各商店には、実際の商店とは異なる制約がある。例えば、商店の店構えによる特徴（他の商店との相違）を示すことが困難である。各商店が独自にサイトを有すればよいが、そうすると商店街としての相乗効果が減少してしまう。
【０００８】
逆に、インターネットによるメリットもある。例えば、ユーザが商品名等をキーにして検索し、検索結果の商店を一括して閲覧することができる。実際の商店街においては各商店を個別に往訪するので、時間がかかってしまう。
【０００９】
上記の制約を緩和し、メリットを活用した商店街サイトは有効である。例えば、ユーザが商品名等をキーにして検索し、検索結果の商店のリストを表示する。その際、表示されるリストにおいて各商店の特徴が示されているとよい。ユーザは、示された特徴に基づき、商店を自己の嗜好によって選択的に閲覧することができる。しかし、かかる商店街サイトは知られていなかった。
【先行技術文献】
【特許文献】
【００１０】
【特許文献１】特開２００２−００７７５１号公報
【特許文献２】特開２００７−１５６７０５号公報
【特許文献３】特開２０１２−１９８７９２号公報
【発明の概要】
【発明が解決しようとする課題】
【００１１】
（用語についての注記）
上記「背景技術」においては、「商店」「商店街サイト」の用語を使用した。実際の商店との対比を容易にするものであった。しかし、インターネット上のＥコマースにおいては面積を持った「商店」や「商店街」が存在するものではなく、商品を仕入れることなく販売する（仲介する）ことも広く行われている。そこで、以下、「商店」「商店街サイト」に替えて「仮想店舗」「インターネット上の商品売買仲介システム」の語を用いる。しかし、実態に合わせた意味合いとしては、「商店」「商店街サイト」に等しい。
【００１２】
解決しようとする課題は、仮想店舗の運営者が店舗の表示及び品揃えを選択でき、ユーザが検索等の入力を行った際に前記選択がユーザの嗜好に合致した仮想店舗を表示するようなインターネット上の商品売買仲介システムを提供することである。
【課題を解決するための手段】
【００１３】
本発明のインターネット上の商品売買仲介システムは、
インターネット上で商品の売買を仲介するインターネット上の商品売買仲介システムであって、
前記システムには１又は２以上の仮想店舗を含み、
前記仮想店舗の各々は、表示要素として１の店舗画像に係る１又は２以上の構成要素と１又は２以上の商品画像とを含み、
前記仮想店舗の各々に対応して前記システムに登録された店舗運営者によって前記表示要素が選択されることを特徴とする。
【００１４】
店舗運営者は、店舗画像の構成要素と商品画像とを選択して、自らの店舗の特色を打ち出すことができる。ここで、「選択」するとは、商品売買仲介システムが用意した画像の範囲内での選択である。店舗運営者自身が作成した画像が表示されるものではない。
【００１５】
本発明のインターネット上の商品売買仲介システムは、
前記表示要素は、更に１又は２以上のアバター画像を含み、前記仮想店舗の各々に対応して前記システムに登録された店舗運営者によって前記アバターが選択されることを特徴とする。
【００１６】
アバター画像は、ユーザが仮想店舗を同定するために有用である。
【００１７】
本発明のインターネット上の商品売買仲介システムは、
前記仮想店舗に付与されるポイントを表すポイントデータと、
前記店舗運営者によって選択される前記店舗画像構成要素の各々に該店舗画像構成要素を選択する要件となる前記ポイントの要件である店舗画像毎必要ポイントデータとを保持することを特徴とする。
【００１８】
店舗画像の構成要素に高いポイントを持つ仮想店舗のみが用いるものがあれば、ユーザは店舗画像に基づいて判断することができる。ここで、ポイントは店舗の売上額に基づくものとする等、商品売買仲介システムの設計によって定めればよい。
また、ユーザが個々の構成要素とポイントの関係を知らなくても、繰り返し使用することで、自己の満足に繋がりやすい店舗画像のパターンを認識し得る。
【００１９】
本発明のインターネット上の商品売買仲介システムは、
前記店舗運営者が他の前記店舗運営者に係る仮想店舗に表示された商品画像を自己の仮想店舗にコピーする商品コピー機能と、
前記商品コピー機能によってコピーが実行された場合にコピー元の前記店舗運営者と商品とを商品コピーデータとして保存する商品コピー記録機能とを備えることを特徴とする。
【００２０】
店舗運営者が自己の店舗の品揃えを変更することは、必ずしも実際の商品の仕入れを必要としないＥコマースにおいて頻繁に発生し得る。その際、他の仮想店舗の商品を見て「良い商品である」と判断し、同一の商品をコピーして自己の仮想店舗の品揃えに加えることも多い。
かかるコピーの履歴を保存することで、必要に応じて店舗経営者間の関係を分析することができる。
【００２１】
本発明のインターネット上の商品売買仲介システムは、
前記ポイントを計算するポイント計算機能を備え、
前記ポイント計算機能は、前記商品コピーデータを参照し、前記コピー元の前記仮想店舗にポイントを付与することを特徴とする。
【００２２】
コピー元になることは、その仮想店舗のその商品が、他の仮想店舗の運営者によって「良いものである」と判断されたことを示唆する。すなわち、コピー元の仮想店舗が大きなインフルエンスを持っている可能性が高い。かかるインフルエンスをポイントに反映する。
【００２３】
本発明のインターネット上の商品売買仲介システムは、
２以上のプロパティ種別を有し、
前記表示要素の各々は２以上のプロパティ種別の１又は２以上に対応するプロパティ値を有し、
前記仮想店舗の表示要素のプロパティ種別毎のプロパティ値の総和の合計を規格化して前記仮想店舗のプロパティ値を計算する仮想店舗のプロパティ値計算機能を備えることを特徴とする。
【００２４】
プロパティ種別は、商品売買仲介システムの設計によって任意に決定できるが、例えば、食品を扱う商品売買仲介システムにおいて「主食」「惣菜」「肉類」「魚介類」をプロパティ種別とすることが考えられる。この場合、プロパティ種別は食品の分類に相当する。
仮想店舗プロパティ値は、仮想店舗におけるプロパティの分布を表し、仮想店舗の取扱う商品としてどの分類の商品が多いかを示すこととなる。
ここで、表示要素は、商品画像のみでなく、店舗画像及びアバター画像をも含む。店舗画像及びアバター画像とプロパティ種別とに相関を持たせることで、ユーザの店舗選択を容易にし得る。
【００２５】
本発明のインターネット上の商品売買仲介システムは、
ユーザによる入力に基づいて前記仮想店舗を検索する検索機能を備え、
前記検索機能は、（１）前記入力に基づいて前記プロパティ種別のウエイトを定める入力分析手段を備え、（２）仮想店舗ｉのプロパティ種別ｊに対応するプロパティ値をｐｉｊとし、仮想店舗ｉに付与されたポイントをｙｉとし、前記ウエイトをｗｊとするとき、ｆ（ｐｉｊ・ｗｊ，ｙｉ）の値の大きな仮想店舗を検索結果とをするものであり、
前記関数ｆは、２つの変数ｐｉｊ・ｗｊ及びｙｉのいずれに対しても単調非減少であることを特長とする。
【００２６】
ｗｊは、入力分析手段によって定められるプロパティ種別のウエイトであり、例えば、ユーザが具体的な商品を指定した場合にはその商品のプロパティ価とすることができる。また、ユーザが商品を指定せずに検索対象文字列を入力した場合には、その文字列に基づいて商品を定めることや、商品のコメントにその文字列を含む商品の集合とすることができる。
ｐｉｊ・ｗｊは、仮想店舗プロパティ値がウエイトとどれだけマッチしているかを示す。ここでｐｉｊ・ｗｊは、ｊを添字とするベクトルｐｉとｗとの内積である。
ｆ（ｐｉｊ・ｗｊ，ｙｉ）は、ユーザの入力に対してマッチしている度合いと、仮想店舗の一般的な優劣を示すポイントとから求められるものであり、マッチしている度合いとポイントとを総合的に評価する関数とすることができる。ここで、マッチしている度合いについてもポイントについても高いほうがよいので、関数ｆは２つの変数のいずれに対しても単調非減少とする。
かかる関数ｆによって検索結果を定めれば、検索結果がユーザの満足する仮想店舗となる可能性が高い。
【００２７】
本発明のインターネット上の商品売買仲介システムは、
前記検索結果を表示する表示機能を備え、
前記表示機能は、検索された前記仮想店舗の前記表示要素の一部を含む画像を仮想店舗別表示域に表示し、
仮想店舗に係る前記仮想店舗別表示域の面積が前記関数ｆの値に比例することを特徴とする。
【００２８】
検索結果には、関数ｆの値が結び付けられている。ｆの値を活用し、単純なリスト表示でなく面積の差を持たせて検索結果を表示することで、ユーザをガイドできる。
【発明の効果】
【００２９】
仮想店舗の運営者が店舗の表示及び品揃えを選択でき、ユーザが検索等の入力を行った際に前記選択がユーザの嗜好に合致した仮想店舗を表示するようなインターネット上の商品売買仲介システムが提供される。
【図面の簡単な説明】
【００３０】
【図１】図１は、商品売買仲介システムのデータと機能の関連を示す図である。
【図２】図２は、仮想店舗の画像の例を示す図である。
【図３】図３は、商品対応処理の表示例を示す図である。
【図４】図４は、トップページの表示例を示す図である。
【図５】図５は、検索結果の表示例を示す図である。
【発明を実施するための形態】
【００３１】
（商品売買仲介システムの構成）
図１は、商品売買仲介システムのデータと機能の関連を示す図である。商品売買仲介システム１は、インターネット上のホームページとして動作し、仮想店舗データ２、表示要素３に係る店舗画像構成要素データ３ａ、アバター画像データ３ｂ及び商品データ３ｃ、並びに商品コピーデータ４を保存している。また、商品コピー機能５、プロパティ値計算機能６、ポイント計算機能７、検索機能８ａ及び表示機能８ｂを備えている。
【００３２】
仮想店舗データ２は、各々の仮想店舗について店舗運営者によって選択された表示要素３（店舗画像構成要素データ３ａ、アバター画像データ３ｂ及び商品データ３ｃ）のリスト、プロパティ値データ及びポイントデータを含んでいる。
【００３３】
表示要素３（店舗画像構成要素データ３ａ、アバター画像データ３ｂ及び商品データ３ｃ）は、それぞれ、表示される画像及びプロパティ値を含んでいる。また、商品データ３ｃは、商品価格等の販売に必要な情報及びその商品へのコメントも含んでいる。
【００３４】
商品コピー機能５は、一つの仮想店舗のリストに含まれる商品を他の仮想店舗のリストに追加し（商品を仮想店舗間でコピーし）、どの仮想店舗からどの仮想店舗にどの商品がコピーされたかについての情報を商品コピーデータ４に追加する。
【００３５】
プロパティ値計算機能６は、各々の仮想店舗のリストに含まれる表示要素のプロパティ値に基づいて、各々の仮想店舗のプロパティ値を計算し、仮想店舗データを追加又は更新する。
【００３６】
ポイント計算機能７は、各々の仮想店舗のポイントデータを計算し、仮想店舗データを追加又は更新する。計算に当たっては、商品コピーデータ４を用いる。なお、図示されていないが、商品売上額、商品購入額等のデータを用いてもよい。
【００３７】
検索機能８ａは、ユーザによる入力に基づいて仮想店舗を検索する。検索結果の順位付けには、仮想店舗データ２に含まれるプロパティ値データ及びポイントデータを用いる。
【００３８】
表示機能８ｂは、検索結果を表示する。
【００３９】
（商品売買仲介システムの使用例）
以下、図１の商品売買仲介システムの使用例を示す。
【００４０】
ユーザは、商品売買仲介システム１にアクセスし、適宜な仮想店舗を選択する。選択した仮想店舗において商品画像を選択すると、例えば図２の画面が表示される。図２は、仮想店舗の画像の例を示す図である。仮想店舗の画像９には、店舗画像９ａ、アバター画像９ｂ及び商品画像９ｃが含まれている。店舗画像９ａは、その構成要素（屋根、窓等）を仮想店舗運営者が選択したものである。アバター画像９ｂは、左端のものが店舗経営者の選択したものであり、その他のものは他の店舗運営者の選択したアバター画像のうちから商品売買仲介システム１が選択して表示しているものである。商品画像９ｃは、仮想店舗運営者が選択したものである。
【００４１】
ユーザは、店舗画像９ａによって仮想店舗を同定できる。同じ仮想店舗を再び訪れた際に、店舗画像の記憶に基づいて「同じ店舗である」と推認できる。アバター画像９ｂをクリックすることで他の店舗に移動できる。他の店舗は、後述のとおり、他の仮想店舗運営者の選択したアバター画像のうちから商品売買仲介システム１が後述のとおりプロパティ値に基づいて選択して表示しているものである。なお、商品売買仲介システム１による選択は、必ずしもプロパティ値に基づくものでなくてもよい。例えば、一時的にキャンペーンを実施している他の仮想店舗にかかるものとする等、商品売買仲介システム１の設計事項として定めることができる。
【００４２】
ユーザは、商品画像９ｃをクリックすることで、その商品の詳細情報を閲覧することができ、その商品を購入することができる。図３は、商品対応処理の表示例を示す図である。商品画像９ｃをクリックした際に表示される、その商品についてのものである。商品対応処理の表示１０は、購入ボタン１０ａ、自店コピーボタン１０ｂ、コメント表示欄１０ｃ及びコメント追加ボタン１０ｄを含む。なお、自店コピーボタン１０ｂについては、ユーザが仮想店舗運営者ではない場合、その他コピーの必要がないと判断される場合には表示しないこととしてもよい。
【００４３】
店舗経営者であるユーザ（Ｕとする。）が自店コピーボタン１０ｂをクリックすると、商品コピー機能５が起動される。商品コピー機能５は、ユーザＵに係る仮想店舗データ２のリストに商品を追加し、コピー元の仮想店舗（図２において表示され商品画像をクリックされた仮想店舗）からどのユーザＵに係る仮想店舗に表示された商品がコピーされた旨の情報を商品コピーデータ４に追加する。
【００４４】
図４は、トップページの表示例を示す図である。ユーザが商品売買仲介システム１にアクセスした際に最初に表示されるページである。数個のアバター画像１０ｂが表示され、仮想店舗へのリンクが提供されている。また、検索用表示として、キーワード入力エリア１１ａ及び検索ボタン１１ｂが設けられている。
【００４５】
（ポイントの計算）
ポイント計算機能７は、各々の仮想店舗のポイントデータを計算し、仮想店舗データを追加又は更新する。計算に当たっては、商品コピーデータ４を用い、コピー元の仮想店舗にポイントを与える。また、各々の仮想店舗における商品売上額、各々の仮想店舗運営者の（ユーザとしての）商品購入額等のデータを用い、これらをポイントに加算してもよい。
【００４６】
計算されたポイントデータは、各々の仮想店舗運営者による店舗画像構成要素の選択を制約する。店舗画像構成要素の一部（例えば、屋根の上の旗、金色の看板）は、所定のポイント以上を付された仮想店舗運営者のみが選択できる。ユーザは、かかる構成要素によって、高いポイントを有する仮想店舗（高評価の仮想店舗）であることを認識し得る。
【００４７】
（プロパティ値の計算）
プロパティ値計算機能６は、各々の仮想店舗のリストに含まれる表示要素のプロパティ値に基づいて、各々の仮想店舗のプロパティ値を計算し、仮想店舗データを追加又は更新する。以下、具体的なプロパティの例を説明する。
【００４８】
商品売買仲介システム１は、音楽ＣＤを取り扱うものとし、プロパティ種別としては、クラシック、ジャズ、ポップス、歌謡曲、演歌、男性歌手、女性歌手、北島三郎、都はるみ、その他のものがある。例えば、北島三郎が歌唱する「与作」のＣＤには、演歌、男性歌手、北島三郎のプロパティ種別に対してプロパティ値１、その他のプロパティ種別に対してプロパティ値０が付されている。説明の簡易化のため、歌謡曲、演歌、男性歌手、女性歌手、北島三郎、都はるみの５つのプロパティのみを取り上げ、プロパティ値をベクトルで示す。「与作」のＣＤの有するプロパティ値は、（１、１、０、１、０）である。
【００４９】
プロパティ値計算機能６は、各々の仮想店舗のリストに含まれる表示要素のプロパティを合計する。商品データ３ｃのみでなく、店舗画像データ３ａ及びアバター画像データ３ｂにも、その画像の印象に対応するプロパティが与えられている。かかるプロパティは、商品売買仲介システム１の運用者が設定する。店舗画像データ３ａ、アバター画像データ３ｂ及び商品データ３ｃを含む全ての表示要素について、プロパティを合計することができる。
【００５０】
合計したプロパティを（ｔ１、ｔ２、ｔ３、ｔ４、ｔ５）とするとき、プロパティ値計算機能６は、以下の値であるｐ＝（ｐ１、ｐ２、ｐ３、ｐ４、ｐ５）を仮想店舗のプロパティ値とする。
ｐｋ＝ｔｋ／Σｔｊ（ｊ＝１，２，３，４，５）
仮想店舗のプロパティ値は、合計が１に規格化され、仮想店舗の間で合計値の差がない。各々の仮想店舗がいかなるプロパティ種別に特徴を持つかを示すものとなる。
【００５１】
上記、他の仮想店舗運営者の選択したアバター画像のうちからの選択は、仮想店舗ｉのプロパティをｐｉ＝とするとき、仮想店舗ｉの表示においては、ｐｉ・ｐｍの値が大きくなるような他の仮想店舗ｍにかかるアバター画像が選択される。ここで、「・」はベクトルの内積を示す。
すなわち、仮想店舗の画像９において、仮想店舗ｉに近いプロパティを持つ他店舗へのリンクが表示されている。ユーザは、似たような傾向の仮想店舗を容易にナビゲートすることができる。
【００５２】
（検索）
ユーザは、検索用表示１１（キーワード入力エリア１１ａ及び検索ボタン１１ｂ）を活用して、仮想店舗を効率的に発見することができる。以下、その手順を示す。
【００５３】
ユーザは、キーワード入力エリア１１ａに検索キーワードを入力し、検索ボタン１１ｂをクリックする。これにより、検索機能８ａが起動される。ここで、検索キーワードは、具体的な商品名であっても、その上位概念となるプロパティ種別であってもよい。また、商品名でもプロパティ種別でもない任意の文字列としてよい。
【００５４】
検索機能８ａは、検索キーワードに基づき、プロパティ種別のウエイトｗを定める。ウエイトｗは、プロパティｐと同次元のベクトルとなる。検索キーワードが商品名と一致する場合には、その商品のプロパティをウエイトとすることができる。また、検索キーワードがプロパティ種別と一致する場合には、そのプロパティ種別を１、他のプロパティ種別を０としたベクトルをウエイトとすることができる。
【００５５】
検索キーワードが商品名ともプロパティ種別とも一致しない場合には、商品に対するコメント内の文字列と検索キーワードとが一致する商品のプロパティをウエイトとすることができる。かかる商品が複数ある場合には、それらのプロパティの合計をウエイトとすることができる。
【００５６】
以上のように、検索キーワードに基づき、１つのプロパティに相当するウエイトを求めることができる。実際のウエイトの計算方法は上記のとおりでなくてもよい。例えば、想定される検索キーワードに対するウエイトのリストを検索機能８ａが保持してもよい。商品売買仲介システム１の設計事項として任意に定めてよい。
【００５７】
仮想店舗ｉのプロパティがウエイトｗにマッチしている度合いは、ｐｉ・ｗで表される。ここでｐｉは、仮想店舗ｉのプロパティである。検索順位を定めるに当たっては、ｐｉ・ｗのほか、仮想店舗ｉのポイントｙｉを勘案し、関数ｆ（ｐｉ・ｗ，ｙｉ）を用いる。ポイントｙｉは、プロパティと無関係に仮想店舗ｉの評判を表すものと考えられ、かかる評判も斟酌することが好ましい。
【００５８】
関数ｆの具体形は任意であるが、マッチしている度合いについてもポイントについても高いほうがよいので、関数ｆは２つの変数のいずれに対しても単調非減少とすることが好ましい。例えば、以下の関数を用いることができる。
ｆ（ｐｉ・ｗ，ｙｉ）＝ｐｉ・ｗ＋０．２ｙｉ／Ｙ
ここでＹは全ての仮想店舗ｊについてのｙｊの最大値とする。すなわち、マッチしている度合いｐｉ・ｗが０．２以上大きければ、他の店舗のポイントｙｉにかかわらず他の店舗よりも上位となる。
【００５９】
関数ｆがユーザの要望を反映するよう、「０．２」の値を大きくしたり小さくしたりしてもよく、また他の関数形としてもよい。ユーザが、自己の嗜好に合った仮想店舗を検索できるようにすることを考慮した設計事項として関数ｆの具体形を定めればよい。
【００６０】
図５は、検索結果の表示例を示す図である。（Ａ）は各々の仮想店舗のｆの値を示す。（Ｂは表示を示す。仮想店舗のアバター画像がｆの値に比例する面積で示されている。また、ｆの値の大きい仮想店舗から順に並べられている。
【００６１】
以上に述べたとおり、本発明の商品売買仲介システムは、仮想店舗の運営者が店舗の表示及び品揃えを選択できるものであり、ポイントとプロパティとを介してユーザが自己の嗜好に合った仮想店舗を容易に探せるものである、特に検索機能が有効である。
【産業上の利用可能性】
【００６２】
仮想店舗の運営者が店舗の表示及び品揃えを選択でき、ユーザが検索等の入力を行った際に前記選択がユーザの嗜好に合致した仮想店舗を表示するようなインターネット上の商品売買仲介システムであり、多くの商品売買仲介業者、店舗運営者による利用が考えられる。
【符号の説明】
【００６３】
１    インターネット上の商品売買仲介システム
２    仮想店舗データ
３    表示要素
４    商品コピーデータ
５    商品コピー機能
６    プロパティ値計算機能
７    ポイント計算機能
８    検索・表示機能
９    仮想店舗の画像
１０  商品対応処理の表示
１１  検索用表示
【要約】
【課題】仮想店舗の運営者が店舗の表示及び品揃えを選択でき、ユーザが検索等の入力を行った際に前記選択がユーザの嗜好に合致した仮想店舗を表示するようなインターネット上の商品売買仲介システムを提供すること。
【解決手段】仮想店舗の各々が表示要素として１の店舗画像に係る１又は２以上の構成要素と１又は２以上の商品画像とを含み、店舗運営者によって前記表示要素が選択されることを特徴とするインターネット上の商品売買仲介システムを提供する。ユーザの入力に基づいて仮想店舗を検索する検索機能を備え、入力とのマッチング及び仮想店舗のポイントを総合的に評価した検索結果を表示する。
【選択図】図１【図１】
0005637611.tif 000002
【図２】
0005637611.tif 000003
【図３】
0005637611.tif 000004
【図４】
0005637611.tif 000005
【図５】
0005637611.tif 000006